(57)【要約】      （修正有）【課題】デッキボードの損傷を抑制可能なパレットの提供を目的とする。【解決手段】１対のデッキボード１１，１１が複数の桁によって連絡されている。デッキボード１１のうち桁と重なり且つパレットの外周部を構成する第１領域Ｒ１の肉厚は、デッキボード１１のうち第１領域Ｒ１を除いた第２領域Ｒ２の肉厚よりも厚くなっている。桁には、パレットの外周部を構成する外向き側壁３４から桁内へ延び且つデッキボード１１に連絡する第１長辺連絡リブ４１、第２長辺連絡リブ４２が設けられている。第１長辺連絡リブ４１は、桁の高さと同じ高さに形成され、第２長辺連絡リブ４２は、第１長辺連絡リブ４１同士の間に配置され、第１長辺連絡リブ４１よりも厚肉で且つ低くなっている。【選択図】図４
2018193068.tif 000002
【特許請求の範囲】
【請求項１】
１対のデッキボードが複数の桁によって連絡されたパレットであって、
前記デッキボードのうち前記桁と重なり且つ前記パレットの外周部を構成する第１領域の肉厚が、前記デッキボードのうち前記第１領域を除いた第２領域の肉厚よりも厚くなっていて、
前記桁には、前記パレットの外周部を構成する外向き側壁から桁内へ延び且つ前記デッキボードに連絡する複数の第１リブと複数の第２リブが設けられ、
前記第１リブは、前記桁と同じ高さに形成され、
前記第２リブは、前記第１リブ同士の間に配置され、前記第１リブよりも厚肉で且つ前記第１リブより低くなっている。
【請求項２】
１対のデッキボードが複数の桁によって連絡されたパレットであって、
前記デッキボードのうち前記桁と重なり且つ前記パレットの外周部を構成する第１領域の肉厚が、前記デッキボードのうち前記第１領域を除いた第２領域の肉厚よりも厚くなっていて、
前記桁には、前記パレットの外周部を構成する外向き側壁から桁内へ延び且つて前記デッキボードに連絡する複数の第１リブと複数の第２リブが設けられ、
前記第１リブは、前記桁と同じ高さに形成され、
前記第２リブは、前記第１リブ同士の間に複数配置され、前記第１リブよりも低くなっている。
【請求項３】
請求項１又は２に記載のパレットにおいて、
前記桁には、前記外向き側壁に隣接して前記外向き側壁と平行に延びる隣接リブが設けられ、
前記複数の第１リブは、前記隣接リブに接続されて前記桁の内部に複数の中空区画を形成し、
前記第１領域は、前記デッキボードのうち前記中空区画と重なる領域で構成されている。
【請求項４】
請求項１乃至３のうち何れか１の請求項に記載のパレットにおいて、
前記第２リブのうち前記外向き側壁に近い側の端部には、前記桁の高さ方向に突出して前記外向き側壁に連絡する補強部が設けられている。
【発明の詳細な説明】
【技術分野】
【０００１】
本発明は、１対のデッキボードが複数の桁によって連絡されたパレットに関する。
【背景技術】
【０００２】
特許文献１には、バール等の道具を、パレットの桁形成部分の下に差し込んでパレットの位置を修正する方法が示されている。
【先行技術文献】
【特許文献】
【０００３】
【特許文献１】実開昭５７−９５３２８（第２頁第５行〜第３頁第１行）
【発明の概要】
【発明が解決しようとする課題】
【０００４】
ところで、上述の方法によってパレットを移動させる場合、デッキボードと床との間にバール等の道具が差し込まれることになるため、デッキボードが損傷するという問題があった。
【０００５】
本発明は、上記事情に鑑みてなされたもので、デッキボードの損傷を抑制可能なパレットの提供を目的とする。
【課題を解決するための手段】
【０００６】
上記目的を達成するためになされた請求項１の発明は、１対のデッキボードが複数の桁によって連絡されたパレットであって、前記デッキボードのうち前記桁と重なり且つ前記パレットの外周部を構成する第１領域の肉厚が、前記デッキボードのうち前記第１領域を除いた第２領域の肉厚よりも厚くなっていて、前記桁には、前記パレットの外周部を構成する外向き側壁から桁内へ延び且つ前記デッキボードに連絡する複数の第１リブと複数の第２リブが設けられ、前記第１リブは、前記桁と同じ高さに形成され、前記第２リブは、前記第１リブ同士の間に配置され、前記第１リブよりも厚肉で且つ前記第１リブより低くなっている。
【０００７】
請求項２の発明は、１対のデッキボードが複数の桁によって連絡されたパレットであって、前記デッキボードのうち前記桁と重なり且つ前記パレットの外周部を構成する第１領域の肉厚が、前記デッキボードのうち前記第１領域を除いた第２領域の肉厚よりも厚くなっていて、前記桁には、前記パレットの外周部を構成する外向き側壁３４から桁内へ延び且つ前記デッキボードに連絡する複数の第１リブと複数の第２リブが設けられ、前記第１リブは、前記桁と同じ高さに形成され、前記第２リブは、前記第１リブ同士の間に複数配置され、前記第１リブよりも低くなっている。
【０００８】
請求項３の発明は、請求項１又は２に記載のパレットにおいて、前記桁には、前記外向き側壁に隣接して前記外向き側壁と平行に延びる隣接リブが設けられ、前記複数の第１リブは、前記隣接リブに接続されて前記桁の内部に複数の中空区画を形成し、前記第１領域は、前記デッキボードのうち前記中空区画と重なる領域で構成されている。
【０００９】
請求項４の発明は、請求項１乃至３のうち何れか１の請求項に記載のパレットにおいて、前記第２リブのうち前記外向き側壁に近い側の端部には、前記桁の高さ方向に突出して前記外向き側壁に連絡する補強部が設けられている。
【発明の効果】
【００１０】
［請求項１の発明］
本発明では、デッキボードのうち桁と重なり且つパレットの外周部を構成する第１領域が、デッキボードにおける他の領域よりも厚肉に形成されているので、デッキボードのうちバール等の道具に接する部分の強度アップが図られる。また、桁の内部には、パレットの外周部を構成する外向き側壁から桁内へ延び且つデッキボードに連絡する第１リブと第２リブが設けられているので、デッキボードの補強が図られる。このように、本発明によれば、デッキボードの強度アップが図られると共に、桁に形成されたリブによってデッキボードの補強が図られているので、デッキボードの破損が抑制される。また、第１リブは桁と同じ高さに形成される一方、第２リブは第１リブよりも低くなっているので、デッキボードの補強を効率よく行うことができる。しかも、第２リブは、第１リブより厚肉になっているので、第２リブの強度を担保することが可能となる。
【００１１】
［請求項２の発明］
本発明では、デッキボードのうち桁と重なり且つパレットの外周部を構成する第１領域が、デッキボードにおける他の領域よりも厚肉に形成されているので、デッキボードのうちバール等の道具に接する部分の強度アップが図られる。また、桁の内部には、パレットの外周部を構成する外向き側壁から桁内へ延び且つデッキボードに連絡する第１リブと第２リブが設けられているので、デッキボードの補強が図られる。このように、本発明によれば、デッキボードの強度アップが図られると共に、桁に形成されたリブによってデッキボードの補強が図られているので、デッキボードの破損が抑制される。また、第１リブは桁と同じ高さに形成される一方、第２リブは第１リブよりも低くなっているので、デッキボードの補強を効率よく行うことができる。
【００１２】
［請求項３の発明］
本発明によれば、デッキボードのうちバール状の道具と接触する可能性が高い部分のみを厚肉にすることが可能となり、パレットの重量アップが抑制される。また、桁の内部が中空構造になっているので、桁の軽量化を図りつつ、桁の強度アップが図られる。
【００１３】
［請求項４の発明］
本発明によれば、第２リブの強度アップが図られ、デッキ面の破損を一層抑制することが可能となる。
【図面の簡単な説明】
【００１４】
【図１】本発明の一実施形態に係るパレットの斜視図
【図２】厚み方向に半割されたパレットの斜視図
【図３】パレットの平断面図
【図４】桁の内部構造を示す斜視図
【図５】バールによるパレットの移動を説明するための図
【図６】他の実施形態に係るパレットの桁の内部構造を示す斜視図
【発明を実施するための形態】
【００１５】
図１に示されるように、本実施形態のパレット１０は、１対のデッキボード１１，１１が複数の桁２１で連絡されてなる。パレット１０は、両面使用可能に構成されていて、上側のデッキボード１１の上面と下側のデッキボード１１の下面がそれぞれ、パレット１０において荷物が積載されるデッキ面を構成する。
【００１６】
デッキボード１１は、平面視矩形状をなし、互いに対向する１対の第１辺部１１Ａ，１１Ａと、互いに対向する第２辺部１１Ｂ，１１Ｂと、を有する。桁２１には、上側のデッキボード１１の第１辺部１１Ａ，１１Ａと下側のデッキボード１１の第１辺部１１Ａ，１１Ａを連絡する端桁２２，２２と、端桁２２，２２の間に配される中間桁２３と、が備えられている。端桁２２と中間桁２３は、第１辺部１１Ａに沿って延在し、端桁２２と中間桁２３の間には、フォークリフトのフォークが差し込まれるフォーク挿通孔２４が設けられている。
【００１７】
図２に示されるように、デッキボード１１のうちフォーク挿通孔２４の内面を構成する部分には、複数のデッキ補強リブ１２が設けられている。複数のデッキ補強リブ１２は、フォーク挿通孔２４に沿って延在する複数の第１デッキ補強リブ１２Ａと、フォーク挿通孔２４の幅方向に延在する複数の第２デッキ補強リブ１２Ｂと、からなり、格子状をなす。
【００１８】
なお、第１デッキ補強リブ１２Ａの両端部は、フォーク挿通孔２４の開口端へ向かうにつれて低くなっている。また、フォーク挿通孔２４の開口端に近い側に配される第２デッキ補強リブ１２Ｂは、フォーク挿通孔２４の開口端２４から離れた側に配される第２デッキ補強リブ１２Ｂよりも低くなっている。そして、複数のデッキ補強リブ１２のうちフォーク挿通孔２４の開口端側の端部には、フォーク挿通孔２４の奥側にフォークを案内するためのスロープ１２Ｓが形成されている。
【００１９】
図２に示されるように、桁２１は、外周壁３１の内側に複数の桁補強リブ３５を備えた構造をなす。外周壁３１は、桁２１の長手方向に沿って延びる１対の長辺側壁３２，３２と、桁２１の短手方向（幅方向）に沿って延びる１対の短辺側壁３３，３３と、からなる。フォーク挿通孔２４の内面を構成する長辺側壁３２の両端部は、フォーク挿通孔２４の開口端へ近づくにつれてフォーク挿通孔２４を広げるように湾曲している。この長辺側壁３２の湾曲部分は、フォーク挿通孔２４の奥側にフォークを案内するための湾曲ガイド面３２Ｍを構成する。なお、端桁２２においては、パレット１０の外側を向く長辺側壁３２と１対の短辺側壁３３，３３が、中間桁２３においては、１対の短辺側壁３３，３３が、パレット１０の外周部を構成する外向き側壁３４を構成している。
【００２０】
複数の桁補強リブ３５には、桁２１の長手方向に沿って延びて１対の短辺側壁３３，３３を連絡する長辺リブ３６と、桁２１の幅方向に沿って延びて１対の長辺側壁３２，３２を連絡する短辺リブ３７と、が含まれている。長辺リブ３６と短辺リブ３７は何れも、桁２１と同じ高さに形成されて、１対のデッキボード１１，１１に連絡されている。なお、本実施形態では、長辺リブ３６は、各桁２１に１つずつ設けられ、短辺リブ３７は、各桁２１に複数ずつ設けられている。
【００２１】
図３に示されるように、端桁２２には、パレット１０の外側を向く長辺側壁３２から端桁２２の内側へと延びて長辺リブ３６に連絡する複数の第１長辺連絡リブ４１が設けられている。複数の第１長辺連絡リブ４１は、デッキボード１１から起立し、端桁２２と同じ高さに形成されている。そして、複数の第１長辺連絡リブ４１は、長辺側壁３２と長辺リブ３６と短辺リブ３７とに囲まれた空間を区画して、複数の中空区画４４を形成する。
【００２２】
また、端桁２２には、隣り合う第１長辺連絡リブ４１の間で端桁２２の幅方向に延びて、パレット１０の外側を向く長辺側壁３２と長辺リブ３６とを連絡する第２長辺連絡リブ４２が設けられている。図４に示されるように、第２長辺連絡リブ４２は、デッキボード１１から起立し、第１長辺連絡リブ４１よりも厚肉で且つ第１長辺連絡リブ４１よりも低くなっている。なお、本実施形態では、第２長辺リブ４２は、隣り合う第１長辺連絡リブ４１の間に１つずつ設けられている。
【００２３】
図３に示されるように、中間桁２３には、短辺側壁３３から中間桁２３の内側へと延びて、複数の短辺リブ３７のうち短辺側壁３３と隣り合う短辺隣接リブ３７Ａに連絡する複数の短辺連絡リブ４３が設けられている。複数の短辺連絡リブ４３は、デッキボード１１から起立し、中間桁２３と同じ高さに形成されている。そして、複数の短辺連絡リブ４３は、１対の長辺側壁３２，３２と短辺側壁３３と短辺隣接リブ３７Ａとに囲まれた空間を区画して、複数の中空区画４５を形成する。
【００２４】
図４に示されるように、デッキボード１１のうち端桁２２の長辺リブ３６に対してパレット１０の外側に配置される部分の肉厚は、該長辺リブ３６に対してパレット１０の内側に配置される部分の肉厚よりも厚くなっている。また、図示はしないが、デッキボード１１のうち端桁２２の短辺隣接リブ３７Ａに対してパレット１０の外側に配置される部分の肉厚は、該短辺隣接リブ３７Ａに対してパレット１０の内側に配置される部分の肉厚よりも厚くなっている。即ち、デッキボード１１のうち端桁２２と重なる部分では、長辺リブ３６に対してパレット１０の外側に配置されるか、又は、短辺隣接リブ３７Ａに対してパレット１０の外側に配置される部分の肉厚が、長辺リブ３６に対してパレット１０の内側に配置され、かつ、短辺隣接リブ３７Ａに対してパレット１０の内側に配置される部分の肉厚より厚くなっている。
【００２５】
また、デッキボード１１のうち中間桁２３の短辺隣接リブ３７Ａに対してパレット１０の外側に配置される部分の肉厚が、該短辺隣接リブ３７Ａに対してパレット１０の内側に配置される部分の肉厚よりも厚くなっている。
【００２６】
このように、本実施形態では、デッキボード１１のうち桁２１と重なり且つパレット１０の外周部を構成する第１領域Ｒ１の肉厚が、第１領域Ｒ１を除いた第２領域Ｒ２の肉厚よりも厚くなっている。ここで、第１領域Ｒ１は、端桁２３の長辺リブ３６よりパレットの外側に配置され、短辺隣接リブ３７Ａよりもパレット１０の外側に配置される領域である。なお、図３では、デッキボード１１の第１領域Ｒ１が灰色で示されている。
【００２７】
本実施形態のパレット１０の構成に関する説明は以上である。なお、本実施形態では、第１長辺連絡リブ４１と短辺連絡リブ４３が本発明の「第１リブ」を構成し、第２長辺連絡リブ４２が本発明の「第２リブ」を構成する。また、短辺隣接リブ３７Ａと端桁２２の長辺リブ３６とが本発明の「隣接リブ」を構成する。
【００２８】
図５には、荷物９１が積載されたパレット１０の位置をバール９０によって修正する例が示されている。同図に示されるように、バール９０は、先端が略直角に折れ曲がった鉤状に形成されている。パレット１０の位置を修正するには、バール９０の先端部をパレット１０における桁２１の形成部分の下に潜らせる。このとき、バール９０の先端部は、デッキボード１１の第１領域Ｒ１に当たる。そして、該先端部をバール９０の折れ曲がり部分を支点として浮き上がらせることで、パレット１０を持ち上げる。そして、バール９０を捻ることで、パレット１０を横方向にずらし、パレット１０を所望の位置へと移動させる。
【００２９】
ここで、図３，４に示されるように、本実施形態のパレット１０では、デッキボード１１の第１領域Ｒ１が、デッキボード１１における他の領域（第２領域Ｒ２）よりも厚肉に形成されているので、デッキボード１１のうちバール９０に接する部分の強度アップが図られる。また、桁２１には、パレット１０の外周部を構成する外向き側壁３４から桁２１内へ延びてデッキボード１１に連絡する第１長辺連絡リブ４１、第２長辺連絡リブ４２及び短辺連絡リブ４３が設けられているので、デッキボード１１の補強が図られる。このように、本実施形態のパレット１０によれば、デッキボード１１の強度アップが図られると共に、桁２１に形成されたリブによってデッキボード１１の補強が図られているので、デッキボード１１の破損が抑制される。
【００３０】
また、第１長辺連絡リブ４１は桁２１と同じ高さに形成される一方、第２長辺連絡リブ４２は第１長辺連絡リブ４１よりも低くなっているので、デッキボード１１の補強を効率よく行うことができる。しかも、第２長辺連絡リブ４２は、第１長辺連絡リブ４１より厚肉になっているので、第２長辺連絡リブ４２の強度を担保することが可能となる。
【００３１】
また、本実施形態では、デッキボード１１の厚肉部分である第１領域Ｒ１が、端桁２２と重なる部分においては、長辺リブ３６又は短辺隣接リブ３７Ａに対してパレット１０の外側に配される領域となっていて、中間桁２３と重なる部分においては、短辺隣接リブ３７Ａに対してパレット１０の外側に配される領域となっているので、デッキボード１１のうちバール９０と接触する可能性が高い部分のみを厚肉にすることが可能となり、パレット１０の重量アップが抑制される。また、第１長辺連絡リブ４１及び短辺連絡リブ４３が中空区画４４，４５（図３，４参照）を形成することで桁２１の内部が中空構造になっているので、桁２１の軽量化を図りつつ、桁２１の強度アップが図られる。
【００３２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３３】
（１）上記実施形態において、図６に示されるように、第２長辺連絡リブ４２のうち長辺側壁３２側の端部（外向き側壁３４側の端部）に、端桁２２の高さ方向に突出して長辺側壁３２に連絡する補強部４７が設けられてもよい。
【００３４】
（２）上記実施形態において、第２長辺連絡リブ４２は、隣り合う第１長辺連絡リブ４１の間に複数設けられてもよい。この場合、第２長辺連絡リブ４２の肉厚は、第１長辺リブ４１の肉厚と同じに形成されてもよいし、第１長辺リブ４１の肉厚よりも薄く形成されてもよい。本構成によっても、上記実施形態と同様の効果を奏することができる。
【００３５】
（３）上記実施形態において、中間桁２３の隣り合う短辺連絡リブ４３同士の間に、短辺側壁３３と短辺隣接リブ３７Ａを連絡する第２短辺連絡リブを設け、その第２短辺連絡リブを、短辺連絡リブ４３よりも厚肉で且つ短辺連絡リブ４３よりも低くしてもよい。
【００３６】
（４）上記実施形態では、パレット１０を移動させる道具が鉤状のバール９０であったが、直線状の棒であってもよいし、スコップのように先端部が扁平な道具であってもよい。
【００３７】
（５）上記実施形態において、長辺リブ３６は、各桁２１に複数設けられてもよい。なお、端桁２２に複数の長辺リブ３６を設けた場合には、外向き側壁３４に隣接する長辺リブ３６が本発明の「隣接リブ」に相当する。
【符号の説明】
【００３８】
１０    パレット
１１    デッキボード
２１    桁
３４    外向き側壁
３６    長辺リブ
３７    短辺リブ
３７Ａ    短辺隣接リブ
４１    第１長辺連絡リブ
４２    第２長辺連絡リブ
４３    短辺連絡リブ
４４，４５    中空区画
Ｒ１    第１領域
Ｒ２    第２領域
【図１】
2018193068.tif 000003
【図２】
2018193068.tif 000004
【図３】
2018193068.tif 000005
【図４】
2018193068.tif 000006
【図５】
2018193068.tif 000007
【図６】
2018193068.tif 000008